(57)【要約】      （修正有）【課題】体内の陽イオンと陰イオンを調節し、身体機能を活性化する美容理学療法機器を提供する。【解決手段】グリップ部１を具備する美容理学療法機器であって、グリップ部の一端にフォーク部１１が設けられ、フォーク部の自由端には２つの導電ボール１２がそれぞれ設けられ、グリップ部には導電線１３が内設され、導電線の一端は各導電ボールにそれぞれ電気的に接続され、他端はグリップ部の他端から露出することで、理学療法エネルギー供給ユニットに電気的に接続される。【選択図】図１
0003227914.tif 000002
【実用新案登録請求の範囲】
【請求項１】
グリップ部を具備する美容理学療法機器であって、前記グリップ部の一端にフォーク部が設けられ、前記フォーク部の自由端には２つの導電ボールがそれぞれ設けられ、前記グリップ部には導電線が内設され、前記導電線の一端は各導電ボールにそれぞれ電気的に接続され、他端は前記グリップ部の他端から露出することで、理学療法エネルギー供給ユニットに電気的に接続されることを特徴とする美容理学療法機器。
【請求項２】
前記フォーク部の自由端には２つの窪みがそれぞれ設けられ、各窪みの内側壁には各導電ボールの外輪郭に適合する空間を規定し、各導電ボールは各窪みに内設され、且つ一部が各窪みに対して露出することを特徴とする請求項１に記載の美容理学療法機器。
【請求項３】
前記グリップ部には振動ユニットが内設され、且つ前記振動ユニットは前記導電線の一端に電気的に接続され、前記グリップ部の外側には操作ユニットが設置され、前記操作ユニットは各導電ボール及び前記振動ユニットのオンとオフを制御するように操作されることを特徴とする請求項２に記載の美容理学療法機器。
【請求項４】
前記理学療法エネルギー供給ユニットは、第一電位治療器本体が内設される球殻及び給電ユニットを備え、前記球殻の外側には第一パターン及び第二パターンが設けられ、前記第一パターン及び前記第二パターンの下方には第一挿入孔及び第二挿入孔がそれぞれ設けられ、前記第一電位治療器本体は前記給電ユニットに電気的に接続され、且つ第一電力出力端及び第二電力出力端を有し、前記第一電力出力端からは第一理学療法電気エネルギーを出力し、前記第二電力出力端からは第二理学療法電気エネルギーを出力し、前記第一理学療法電気エネルギー及び前記第二理学療法電気エネルギーの電源パラメータは異なり、且つ前記第一電力出力端は前記第一挿入孔に設けられ、前記第二電力出力端は前記第二挿入孔に設けられることを特徴とする請求項３に記載の美容理学療法機器。
【請求項５】
前記第一パターン及び前記第二パターンの後側には第一発光ユニット及び第二発光ユニットがそれぞれ設置され、前記第一発光ユニット及び第二発光ユニットは前記第一電位治療器本体にそれぞれ電気的に接続され、前記第一電力出力端又は前記第二電力出力端から前記第一理学療法電気エネルギー又は前記第二理学療法電気エネルギーを出力すると、前記第一電位治療器本体は対応する前記第一発光ユニット又は前記第二発光ユニットを作動するように制御することを特徴とする請求項４に記載の美容理学療法機器。
【考案の詳細な説明】
【技術分野】
【０００１】
本考案は、美容理学療法機器に関し、更に詳しくは、体内の陽イオンと陰イオンを調節し、身体機能を活性化する理学療法機器に関する。
【背景技術】
【０００２】
現代人は生活が忙しい、仕事上でのストレスが大きい、良質な睡眠が得られない、肩と首が凝る、便秘になる等の問題を抱えている。これらの問題は日中の仕事や生活の質にも影響を及ぼしている。さらに、現代人は大きなストレスを抱えている上に生活形態も変化しており、食事が肉食化する傾向にある。これも体内の陽イオンの増加に繋がり、血液が酸性へと傾き、身体に慢性疾患を患う人が増えている。このような問題のために、現代人は健康管理に注意するようになっている。
【０００３】
研究や実験から、電位療法により上述の問題を改善できることが分かっている。電位療法は主に微小電流を体内に流し、陰イオンを体内に供給することで、体内の陽イオンと陰イオンを中和し、身体の水素イオン濃度を弱アルカリ性体質に徐々に近づけることができる。これにより、前述の身体の各問題が発生しにくくなる。
【考案の概要】
【考案が解決しようとする課題】
【０００４】
しかしながら、前述した従来の導電ボールは１つしか設けられておらず、理学療法効果及び快適性が低かった。本願の導電ボールは二股に設けられており、理学療法効果及び快適性を高めている。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の事情に鑑みてなされたものであり、その目的とするところは、美容理学療法機器を提供することにある。
【課題を解決するための手段】
【０００７】
上記目的を達成するための本考案は、グリップ部を具備し、前記グリップ部の一端にフォーク部が設けられ、前記フォーク部の自由端には２つの導電ボールがそれぞれ設けられ、前記グリップ部には導電線が内設され、前記導電線の一端は各導電ボールにそれぞれ電気的に接続され、他端は前記グリップ部の他端から露出することで、理学療法エネルギー供給ユニットに電気的に接続されることを特徴とする美容理学療法機器である。
【考案の効果】
【０００８】
本考案によれば、次のような効果がある。
本考案は、主に前記理学療法ボールから理学療法電気エネルギーを放出し、使用者が前記グリップ部を握って前記理学療法ボールを身体の任意の各部位に接触させることで理学療法効果及び身体の陽イオンと陰イオンの調節効果を達成する。例えば、肩と首が凝ったり、血流が不順である場合、各理学療法ボールを肩と首の部位に貼り付け、前記理学療法電気エネルギーにより凝りを解す。さらに、往復押圧及び回転により、各理学療法ボールで肩と首の筋肉を往復マッサージし、肩と首の凝りを解す効果を大幅に高めることができる。
【０００９】
さらに、体内の陽イオンと陰イオン及び水素イオン濃度を効果的に調節し、その効果を皮膚に反映することで、本考案は美顔とスキンケアの効果を同時に達成する。
【図面の簡単な説明】
【００１０】
【図１】本考案に係る美容理学療法機器を示す外観斜視図である。
【図２】本考案と第一理学療法エネルギー供給ユニットの接続を示す概略図である。
【図３】本考案の第一理学療法エネルギー供給ユニットを示す外観斜視図である。
【図４】本考案の第一理学療法エネルギー供給ユニットを示す底面概略図である。
【図５】本考案の第一理学療法エネルギー供給ユニットの各素子の接続を示す概略図である。
【図６】本考案の第２つの理学療法エネルギー供給ユニットの接続を示す概略図である。
【図７】本考案の第２つの理学療法エネルギー供給ユニットを示す上面図である。
【図８】本考案の第２つの理学療法エネルギー供給ユニットの表示部を示す概略図である。
【図９】本考案の第２つの理学療法エネルギー供給ユニットの各素子の接続を示す概略図である。
【図１０】本考案のリモコンを示す概略図である。
【考案を実施するための形態】
【００１１】
以下、図面を参照しながら本考案を実施するための最良の形態について詳述する。なお、本考案は、以下に説明する実施形態に限定されるものではない。
【００１２】
本明細書及び図面の記載により、少なくとも、以下の事項が明らかとなる。
【００１３】
本考案はグリップ部１を備えている。前記グリップ部１の一端にはフォーク部１１が設けられ、前記フォーク部１１の自由端には２つの理学療法ボール１２がそれぞれ設けられる。前記グリップ部１には導電線１３が内設され、前記導電線１３の一端は各理学療法ボール１２にそれぞれ電気的に接続され、他端は前記グリップ部１の他端から露出し、理学療法エネルギー供給ユニット２に電気的に接続される（図１参照）。これにより、前記理学療法エネルギー供給ユニット２は前記理学療法ボール１２を作動するように駆動させて、理学療法電気エネルギーを放出し、使用者が前記グリップ部１を握って前記理学療法ボール１２を身体の任意の各部位に接触させることで理学療法効果及び身体の陽イオンと陰イオンの調節効果を達成する。例えば、肩と首が凝ったり、血流が不順な場合、各理学療法ボール１２を肩と首の部位に貼り付けることで、前記理学療法電気エネルギーにより凝りを解す。さらに、往復押圧及び回転により、各理学療法ボール１２で肩と首の筋肉を往復マッサージすることで、肩と首の凝りを解す効果を大幅に高める。
【００１４】
さらに、上述の各理学療法ボール１２のマッサージ効果を高めるため、前記フォーク部１１は、好ましくは、前記フォーク部１１の自由端に２つの窪みをそれぞれ設け、各窪みの内側壁に各理学療法ボール１２の外輪郭に適合する空間を規定する。各理学療法ボール１２は各窪みに内設され、且つ一部が各窪みに対して露出する。これにより、各理学療法ボール１２が人体の皮膚に接触した後、押すことによって各理学療法ボール１２が各窪み内の空間で回転を始め、マッサージ効果を達成すると同時に腱の動きを良くする効果も有する。
【００１５】
上述の回転によるマッサージ効果の以外に、更に振動によるマッサージ効果も達成する。その実施方式は、前記グリップ部１に振動ユニットを内設し、且つ前記振動ユニットは前記導電線１３の一端に電気的に接続される。前記グリップ部１の外側には操作ユニットが設置され、前記操作ユニットを前記振動ユニットのオンとオフを制御するように操作する。これにより、各理学療法ボール１２が回転によるマッサージ効果以外にも、振動によるマッサージ効果も達成する。
【００１６】
本考案は、実際に実施する時には携帯に便利であるという利点を有し、使用者が外出時に本考案を携帯し、空き時間を利用して身体機能及び体内の陽イオンと陰イオンの調整を行うことができる。このとき、携帯する理学療法エネルギー供給ユニットを組み合わせると、本考案の利点及び特徴を最大限に発揮できる。さらに、図２と図３に示すように、前記理学療法エネルギー供給ユニット２の好ましい第１実施形態は、球殻２１Ａには電位治療器本体２２Ａ及び給電ユニット２３Ａ（例えば、電池、蓄電池）が内設され、前記球殻２１Ａの外側には第一パターン２１１Ａ及び第二パターン２１２Ａが設けられ、前記第一パターン２１１Ａ及び前記第二パターン２１２Ａの下方には第一挿入孔２１３Ａ及び第二挿入孔２１４Ａがそれぞれ設けられている。前記第一電位治療器本体２２Ａは前記給電ユニット２３Ａに電気的に接続され、且つ前記第一電位治療器本体２２Ａは第一電力出力端２２１Ａ及び第二電力出力端２２２Ａを有し、前記第一電力出力端２２１Ａからは第一理学療法電気エネルギーを出力し、前記第二電力出力端２２２Ａからは第二理学療法電気エネルギーを出力する。前記第一理学療法電気エネルギー及び前記第二理学療法電気エネルギーの電源パラメータ（例えば、出力周波数、出力電圧値、持続時間等）は相異する。前記第一電力出力端２２１Ａは前記第一挿入孔２１３Ａに設けられ、前記第二電力出力端２２２Ａは前記第二挿入孔２１４Ａに設けられている。図４を参照すると、前記給電ユニット２３Ａが電池である場合、前記球殻２１Ａの底部のカバー２４Ａを回転した後に交換及び取り付けを行う。さらに、前記カバー２４Ａは台座の機能も兼ね備え、前記球殻２１Ａを平面に安定的に設置可能となる。
【００１７】
ちなみに、本明細書を例にとると、前記第一パターン２１１Ａ及び前記第二パターン２１２Ａは、好ましくは、それぞれ人体の器官を表す。第一パターン２１１Ａが人の顔を表す場合、前記第一電力出力端２２１Ａから出力する前記第一理学療法電気エネルギーは人体の頭部に用いることが好適であり、よって、前記導電線１３の他端を前記第一挿入孔２１３Ａに挿入した後、各理学療法ボール１２を人体の頭部に取り付けると最良の理学療法効果が得られる。なお、例えば、前記第二パターン２１２Ａが人体の肘のパターンを表す場合、前記第二電力出力端２２２Ａから出力する前記第二理学療法電気エネルギーは人体の肘部分に用いることが好適であり、よって、前記導電線１３の他端を前記第二挿入孔２１４Ａに挿入した後、各理学療法ボール１２を前記人体の肘部分に取り付けると最良の理学療法効果が得られる。これにより、使用者は自分のニーズ又は調整する身体の部位に応じて、前記導電線１３の他端を対応する挿入孔内に挿入することで、効果的な理学療法効果を得られる。
【００１８】
さらに、上述の前記第一理学療法電気エネルギーの出力方式は、まず300Vの理学療法電気エネルギーを１分間出力した後、500Vの前記理学療法電気エネルギーを１分間出力し、これを連続サイクルで行う。前記第二理学療法電気エネルギーの出力方式は、まず500Vの理学療法電気エネルギーを１分間出力した後、800Vの理学療法電気エネルギーを１分間出力し、同様に連続サイクルで行う。前述の各理学療法電気エネルギーの出力方式は一例にすぎず、審査員及び公衆に対し各理学療法電気エネルギーの出力方式について明瞭な理解を促すためのものである。さらに、本考案の挿入孔は前記第一挿入孔２１３Ａ及び前記第二挿入孔２１４Ａに限らず、図示するように、身体の部位の違いに応じて対応する複数の挿入孔及びパターンを有し、各挿入孔には電力出力端をそれぞれ設け、対応する理学療法電気エネルギーを出力する。
【００１９】
図１、図３と図５を参照すると、上述の各種理学療法電気エネルギーの出力設定方式は大多数の人に適合するが、少数の人も好適な理学療法効果が得られるようにするため、本考案はさらに、前記球殻２１Ａの外側には、操作すると強度設定信号を発生する強度設定ボタン２５Ａが設けられ、前記第一電位治療器本体２２Ａは前記強度設定信号に基づいて各理学療法電気エネルギーの電圧値（強度値）を決定する。これにより、使用者は自分の身体の状態の違いに応じて、前記強度設定ボタン２５Ａを使用して強度を調整する。図中の前記強度設定ボタン２５Ａの数量は好ましくは２つであり、そのうちの１つの強度設定ボタン２５１Ａは主に強度を上げるためのものであり、もう１つの強度設定ボタン２５１Ｂは強度を下げるためのものである。
【００２０】
さらに、図３と図５を参照すると、現在前記導電線１３の他端に接続されている挿入孔からどのような理学療法電気エネルギーが出力されるかを使用者が一目で分かるようにするため、本考案はさらに、前記第一パターン２１１Ａ及び前記第二パターン２１２Ａの後側に第一発光ユニット２６Ａ及び第二発光ユニット２７Ａがそれぞれ設置され、前記第一発光ユニット２６Ａ及び第二発光ユニット２７Ａは前記第一電位治療器本体２２Ａにそれぞれ電気的に接続される。前記第一電力出力端２２１Ａ又は前記第二電力出力端２２２Ａから前記第一理学療法電気エネルギー又は前記第二理学療法電気エネルギーを出力すると、前記第一電位治療器本体２２Ａが対応する前記第一発光ユニット２６Ａ又は前記第二発光ユニット２７Ａを作動するように制御する。
【００２１】
さらに、図５に示すように、本考案の連続使用時間が長くなりすぎて人体に被害を与えないようにするため、本考案は時間設定機能を更に提供する。その実施方式は、前記球殻２１Ａの外側には、操作すると時間設定信号を発生する時間設定ボタン２８Ａが設けられ、前記第一電位治療器本体２２Ａは前記時間設定信号に基づいて前記第一電力出力端２２１Ａ又は前記第二電力出力端２２２Ａから出力する理学療法電気エネルギーの持続時間を決定する。さらに、制限は図示の表現方式に限定され、図２〜５には前記時間設定ボタン２８Ａを描写していない。
【００２２】
さらに、図５を参照すると、本考案が出力する理学療法電気エネルギーは、上述のプリセット方式以外に、さらに使用者の性別、年齢、身長、体重等の身体情報に基づいて、前記第一電位治療器本体２２Ａは第三電力出力端２２３Ａを備え、前記球殻２１Ａの外側には入力キー２９Ａ及び第三挿入孔２１５Ａが設けられ、前記第三電力出力端２２３Ａは前記第三挿入孔２１５Ａ部に設けられ、前記入力キー２９Ａは身体情報の入力に用いられる。前記第一電位治療器本体２２Ａは前記身体情報に基づいて第三理学療法電気エネルギーの持続時間及び電圧値（強度値）を決定し、且つ前記第三電力出力端２２３Ａが前記第三理学療法電気エネルギーを出力するように制御する。
【００２３】
以下、前記理学療法エネルギー供給ユニット２の好ましい第２実施形態について説明する。実施形態は、第二電位治療器本体２２Ｂを内設する正方形框体２１Ｂを備えている。図６と図７に示すように、前記正方形框体２１Ｂの一側には理学療法電気エネルギーを出力するための出力端が設けられ、前記正方形框体２１Ｂの上面には前記理学療法電気エネルギーの出力パラメータを設定するための複数の操作ボタン２３Ｂが設けられ、例えば、前記理学療法電気エネルギーの電圧値（強度値）、パルス周期、出力持続時間、オンとオフ等を設定する。前記正方形框体２１Ｂの前側には各操作ボタン２３Ｂの操作状態を表示するための表示部２４Ｂが設けられている。
【００２４】
図８は前記表示部２４Ｂの好ましい表示画面を図示し、前記表示部２４Ｂは複数のパターン２４１Ｂ〜２４４Ｂを表す。まず、パターン２４１Ｂは人体の輪郭を表し、且つ前記人体の輪郭には使用者の最適な理学療法位置を提示するための複数の丸い点が設けられている。パターン２４２Ｂは扇形の目盛り画面を表し、主に前記理学療法電気エネルギーの強度を表示する。パターン２４３Ｂは実行時間のカウントダウンを表示する。パターン２４４Ｂは前記理学療法電気エネルギーの出力モードを示し、前記理学療法電気エネルギーは出力モードの違いに基づいて異なるパルス周期を有する。
【００２５】
前記理学療法エネルギー供給ユニットの第２実施形態は主に使用者が自宅で使用する際のものであり、第１実施形態と比較し、第２実施形態では使用者が異なる理学療法電気エネルギーの出力モード、出力強度、持続出力時間等を設定でき、使用者が自分の身体の状態に応じて前記理学療法電気エネルギーを調整可能であり、前記美容理学療法機器は使用者自分を助け、自分の身体機能や状態を調節し、体内の陽イオンと陰イオンを調整する等の効果を提供する。さらに、前記表示部２４は、各前記理学療法電気エネルギーの出力設定及びパターン２４１Ｂが示す人体の理学療法の位置の概略図を分かりやすく表示し、使用者が正確な理学療法の位置を容易に且つ便利に知ることができるようになる。
【００２６】
前記理学療法エネルギー供給ユニット２の第２実施形態の各操作ボタン２３Ｂの機能について図７及び図９を参照しながら説明する。まず、前記複数の操作ボタン２３Ｂは、操作すると時間設定信号を発生する時間設定ボタン２３１Ｂを備え、前記第二電位治療器本体２２Ｂは前記時間設定信号に基づいて前記出力端から前記理学療法電気エネルギーを持続的に出力する時間を決定し、且つ前記表示部２４Ｂに残り時間を表示する。これにより、使用者が本考案の使用時間を任意に設定し、使用時間が終了すると前記第二電位治療器本体２２Ｂは前記理学療法電気エネルギーの出力を停止し、同時に前記表示部２４Ｂに表示するパターン２４３Ｂに終了時間を提示する。
【００２７】
同様に、図７と図９を参照すると、前記複数の操作ボタン２３Ｂは、操作すると強度設定信号を発生する強度設定ボタン２３２Ｂを備え、前記第二電位治療器本体２２Ｂは前記強度設定信号に基づいて前記出力端から出力される前記理学療法電気エネルギーの電圧値（強度値）を決定し、且つ前記表示部２４Ｂのパターン２４２Ｂに表示する前記強度設定信号が表す設定値に制御する。さらに、前記電圧値（強度値）の設定は好ましくは300V、500V、800V等の３種類に分かれ、実際の実施時には製品のタイプの違い、用途、及び機能の違いに応じて前記電圧値（強度値）の設定の種類及び数値を増減する。これにより、使用者が自分の状態に応じて異なる電圧値（強度値）を選択することで、前記第二電位治療器本体２２Ｂが異なる強度の理学療法電気エネルギーを出力する。特に、子供や高齢者には、前記電圧値（強度値）は300Vが好ましく、本考案を使用し始めたばかりの使用者も、前記電圧値（強度値）を300Vに設定することが好ましい。さらに、表１は前記電圧値（強度値）の設定及び持続時間の設定の適切な提案表を示し、表１中の使用時間とは本考案を使用する日数を指す。表１の数値は参考値であり、使用者は自分の身体の状態に応じて調整可能である。
【００２８】
【表１】
0003227914.tif 000003
【００２９】
図７と図９に示すように、前記複数の操作ボタン２３Ｂは、操作するとモード設定信号を発生するモード設定ボタン２３３Ｂを備え、前記第二電位治療器本体２２Ｂは前記モード設定信号に基づいて前記出力端から出力される前記理学療法電気エネルギーの出力周波数を決定し、且つ前記表示部２４Ｂのパターン２４４Ｂに表示する前記モード設定信号が意味する設定値に制御する。例えば、本考案は、好ましくは５種類のモードが選択可能であり、モード１を選択した場合、使用者は自分で強度及び時間を設定する必要がある。モード２を選択した場合、前記理学療法電源が300Vを１分間出力した後、500Vを１分間出力し、設定した時間が来るまでこれを連続サイクルで行う。モード３を選択した場合、500Vを１分間出力した後、800Vを１分間出力し、設定した時間が来るまでこれを連続サイクルで行う。モード４では300Vを１分間出力した後、800Vを１分間出力し、設定した時間が来るまでこれを連続サイクルで行う。最後に、モード５では300Vを１分間出力した後、500Vを１分間出力し、次いで800Vを１分間出力し、設定した時間が来るまでこれを連続サイクルで行う。
【００３０】
以下、リモコン関連機能の実施例について図１０及び図９を参照しながら説明する。まず、本考案は、前記第一電位治療器本体２２Ａ及び前記第二電位治療器本体２２Ｂには信号受信機２２４Ａ及び信号受信機２２１Ｂを更に設置する。リモコン３が更に設けられ、前記リモコン３の外側には、操作すると時間設定信号、強度設定信号、或いは時間設定信号を前記信号受信機２２４Ａ及び前記信号受信機２２１Ｂに発信するリモコンボタンセット３１が設けられている。これにより、前記第一電位治療器本体２２Ａ又は前記第二電位治療器本体２２Ｂは受信した信号に基づいて対応する動作を実行し、本考案がリモートコントロール機能を有する。さらに、暗い又は視線が妨げられる等の環境要因により前記リモコン４の使用しにくい、探しにくいことを避けるため、前記リモコンボタンセット３１の複数のボタンは、好ましくは夜光材質で製造される。
【００３１】
さらに、図１０を参照すると、前記リモコン３は上述のリモートコントロール機能以外に、前記理学療法電気エネルギーが美容理学療法機器内に入力されたか否かを検知するための検電機能を更に有する。その実施方式は、前記リモコン３の表面に提示ユニットを設け、前記リモコン３に理学療法電気エネルギー検知ユニットを内設する。前記理学療法電気エネルギー検知ユニットが前記理学療法電気エネルギーを検知すると、前記提示ユニットが作動し始めるように制御する。本明細書を例にとると、前記提示ユニットは前記リモコン３に設けられた表示部３２によりフラッシュ方式や文字表示等の方式で表示し、これにより使用者に対して前記理学療法ユニットＡのオンとオフの状態を提示する。
【００３２】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００３３】
１        グリップ部
１１      フォーク部
１２      理学療法ボール
１３      導電線
２        理学療法エネルギー供給ユニット
２１Ａ    球殻
２１１Ａ  第一パターン
２１２Ａ  第二パターン
２１３Ａ  第一挿入孔
２１４Ａ  第二挿入孔
２１５Ａ  第三挿入孔
２２Ａ    第一電位治療器本体
２２１Ａ  第一電力出力端
２２２Ａ  第二電力出力端
２２３Ａ  第三電力出力端
２２４Ａ  信号受信機
２３Ａ    給電ユニット
２４Ａ    カバー
２５Ａ    強度設定ボタン
２５１Ａ  強度設定ボタン
２５１Ｂ  強度設定ボタン
２６Ａ    第一発光ユニット
２７Ａ    第二発光ユニット
２８Ａ    時間設定ボタン
２９Ａ    入力キー
２１Ｂ    正方形框体
２２Ｂ    第二電位治療器本体
２２１Ｂ  信号受信機
２３Ｂ    複数の操作ボタン
２３１Ｂ  時間設定ボタン
２３２Ｂ  強度設定ボタン
２３３Ｂ  モード設定ボタン
２４Ｂ    表示部
２４１Ｂ  パターン
２４２Ｂ  パターン
２４３Ｂ  パターン
２４４Ｂ  パターン
３        リモコン
３１      リモコンボタンセット
３２  表示部
【図１】
0003227914.tif 000004
【図２】
0003227914.tif 000005
【図３】
0003227914.tif 000006
【図４】
0003227914.tif 000007
【図５】
0003227914.tif 000008
【図６】
0003227914.tif 000009
【図７】
0003227914.tif 000010
【図８】
0003227914.tif 000011
【図９】
0003227914.tif 000012
【図１０】
0003227914.tif 000013